(57)【要約】【課題】本発明は、衝撃・振動による応力が両端部の蓄電素子に集中することを抑制し、長期の安全性を向上させた蓄電モジュールを提供することを目的とする。【解決手段】セルスタック２と、セルスタック２の積層方向の両端に設置される一対のエンドプレート３と、エンドプレート３とセルスタック２の間に設置されるスライダー４と、エンドプレート３に接続されてセルスタック２に加圧力Ｆを与える締結体５とを有する蓄電モジュール１０が、スライダー４とエンドプレート３の間、またはスライダー４とセルスタック２の間のいずれかの有効接触面積Ａ、スライダー４の摩擦係数μ、セルスタック２のための金属ラミネート樹脂フィルム製外装体の断面積ａ、及び前記金属ラミネート樹脂フィルムの降伏応力Ｈについて、μＡＦ＜Ｈａの関係を有することを特徴とする。【選択図】図１
2018029017.tif 000002
【特許請求の範囲】
【請求項１】
複数の金属ラミネート樹脂フィルム製の外装体にそれぞれ収納されている扁平形状を有する蓄電素子を複数積層して成るセルスタックと、
前記セルスタックの積層方向の両端に設置される一対のエンドプレートと、
前記エンドプレートと前記セルスタックの間に設置されるスライダーと、
前記エンドプレートに接続されて前記セルスタックに加圧力Ｆを与える締結体と、
を有する蓄電モジュールであって、
前記スライダーと前記エンドプレートの間または前記スライダーと前記セルスタックの間のいずれかの有効接触面積Ａと、
前記スライダーの摩擦係数μと、
前記外装体の断面積ａと、
前記金属ラミネート樹脂フィルムの降伏応力Ｈと、
の間に、μＡＦ＜Ｈａの関係を有することを特徴とする蓄電モジュール。
【請求項２】
前記スライダーは、絶縁性を有し、かつ前記エンドプレートと前記セルスタックを絶縁する、請求項１に記載の蓄電モジュール。
【請求項３】
前記セルスタックは、前記締結体に係止される、請求項１または２に記載の蓄電モジュール。
【請求項４】
前記締結体と前記セルスタックの間は、絶縁体を介して係止される、請求項３に記載の蓄電モジュール。
【請求項５】
隣り合う複数の前記蓄電素子が接着されて積層して成る、請求項１〜４のいずれか１項に記載の蓄電モジュール。
【請求項６】
隣り合う複数の前記蓄電素子の間に、保持板が配置され、其々が接着されて積層して成る、請求項１〜４のいずれか１項に記載の蓄電モジュール。
【請求項７】
隣り合う複数の前記蓄電素子の間に、保持板が配置され、其々が接着されて積層して成り、かつ前記保持板は、前記締結体と前記絶縁体を介して係止される、請求項４に記載の蓄電モジュール。
【発明の詳細な説明】
【技術分野】
【０００１】
本発明は、蓄電モジュールに関する。
【背景技術】
【０００２】
太陽光発電、風力発電等の負荷平準化装置、瞬時電圧低下対策装置、電気自動車又はハイブリッドカーのエネルギー回生装置等のような蓄電システムにおいては、エネルギー容量が大きくて且つ急速充放電が可能な蓄電素子が必要とされている。
【０００３】
近年、リチウムイオン二次電池、ニッケル水素電池、電気二重層キャパシタ、リチウムイオンキャパシタ等の蓄電素子を用いた蓄電モジュールが開発されている。蓄電モジュールは、複数の蓄電素子が直列又は並列接続された蓄電体を含み、高電圧又は大容量の状態で充放電することができるため、電源装置として様々な用途に用いられている。
【０００４】
蓄電モジュールは、蓄電池を厚み方向に積層し、蓄電池同士を電気的に接続して、外装部品等によって締結保持されて構成されている。平板形状の蓄電池の内、金属ラミネート樹脂フィルムを用いたパウチ型の外装体で作製される蓄電池は、その作製が容易であり、かつ薄型化及び軽量化し易いといった利点と、それ自体が薄型の為に放熱性に優れるといった利点とを有する。
【０００５】
一方で、パウチ型の外装体であるため、耐振動性が低く、また金属材料が外装であるので、絶縁性を確保し辛いといった課題も有している。そのため、耐振動性を改善した蓄電モジュールが提案されている（特許文献１及び２）。
【先行技術文献】
【特許文献】
【０００６】
【特許文献１】特開２０１１−３４８２１号公報
【特許文献２】国際公開第２０１４／０３４３５０号
【発明の概要】
【発明が解決しようとする課題】
【０００７】
蓄電モジュールは、構造的に最も強度を有する外装部品であるエンドプレートを、蓄電モジュール以外の部分（例えば、自動車の車体や、電源装置のフレームなど）にボルト締結などの方法で固定する。この状態で、例えば、蓄電素子の積層方向に垂直な方向に振動や衝撃が加わったとき、積層された蓄電素子は、特許文献１の図４に示されるように、両端が固定された梁のような形状になる。特許文献１の段落［０００９］、［００３０］及び［００５０］には、蓄電素子と蓄電素子の間、または蓄電素子と保持板の間では、摩擦力によって蓄電素子の積層のズレが生じることなく耐衝撃性を有すると記載されているが、本件発明者らの検討によると蓄電素子の内部において、負極電極体、正極電極体、セパレータなどを積層した電極積層体が衝撃によってずれてしまい、負極電極体と正極電極体が接触して蓄電素子内部で短絡する可能性があることが明らかになっている（第一の課題）。
【０００８】
更に、特許文献１の図４に示されるような両端が固定された梁形状になることによって、衝撃・振動の応力は、梁形状の付け根に位置する両端部の蓄電素子に集中してしまい、長時間の衝撃・振動が加わると金属ラミネート樹脂フィルム製の外装体に亀裂が生じて、電解液が漏液する可能性がある（第二の課題）。
【０００９】
第一の課題を解決する方法として、例えば特許文献２のように、金属ラミネート樹脂フィルム製の外装材の内層と電極積層体の最外層との間の静止摩擦係数などの特定の条件を満足させることによって、衝撃・振動による電極積層体のズレを抑制する方法が開示されている。しかしながら、特許文献２に記載の蓄電モジュールも第二の課題については未だに改良の余地がある。
【００１０】
本発明は第二の課題に鑑み、衝撃・振動による応力が両端部の蓄電素子に集中することを抑制し、長期の安全性を向上させた蓄電モジュールを提供することを目的とする。
【課題を解決するための手段】
【００１１】
本発明は、以下の通りである。
［１］
複数の金属ラミネート樹脂フィルム製の外装体にそれぞれ収納されている扁平形状を有する蓄電素子を複数積層して成るセルスタックと、
前記セルスタックの積層方向の両端に設置される一対のエンドプレートと、
前記エンドプレートと前記セルスタックの間に設置されるスライダーと、
前記エンドプレートに接続されて前記セルスタックに加圧力Ｆを与える締結体と、
を有する蓄電モジュールであって、
前記スライダーと前記エンドプレートの間または前記スライダーと前記セルスタックの間のいずれかの有効接触面積Ａと、
前記スライダーの摩擦係数μと、
前記外装体の断面積ａと、
前記金属ラミネート樹脂フィルムの降伏応力Ｈと、
の間に、μＡＦ＜Ｈａの関係を有することを特徴とする蓄電モジュール。
［２］
前記スライダーは、絶縁性を有し、かつ前記エンドプレートと前記セルスタックを絶縁する、［１］に記載の蓄電モジュール。
［３］
前記セルスタックは、前記締結体に係止される、［１］または［２］に記載の蓄電モジュール。
［４］
前記締結体と前記セルスタックの間は、絶縁体を介して係止される、［３］に記載の蓄電モジュール。
［５］
隣り合う複数の前記蓄電素子が接着されて積層して成る、［１］〜［４］のいずれか１項に記載の蓄電モジュール。
［６］
隣り合う複数の前記蓄電素子の間に、保持板が配置され、其々が接着されて積層して成る、［１］〜［４］のいずれか１項に記載の蓄電モジュール。
［７］
隣り合う複数の前記蓄電素子の間に、保持板が配置され、其々が接着されて積層して成り、かつ前記保持板は、前記締結体と前記絶縁体を介して係止される、［４］に記載の蓄電モジュール。
【発明の効果】
【００１２】
本発明に依れば、蓄電モジュールは、蓄電素子を積層して成るセルスタックと、セルスタックを積層方向の両端に設置される一対のエンドプレートとの間にスライダーを設置し、μＡＦ＜Ｈａ（式中の各記号は、上記で定義されたとおりである）の条件を満たし、外部から衝撃が加わったときにスライダーとエンドプレートの間、またはスライダーとセルスタックの間のいずれかで滑ることによって、蓄電素子の金属ラミネート樹脂フィルム製の外装体の破れを抑制し、安全性の高い蓄電モジュールを提供することができる。
【図面の簡単な説明】
【００１３】
【図１】図１は、本発明の実施形態に係る蓄電モジュール１０の一例を示す側面概略図である。
【図２】図２（ａ）は、衝撃Ｇが加わったときに、スライダーを配置しない状態の蓄電モジュールの概念図であり、かつ図２（ｂ）は、衝撃Ｇが加わったときに、スライダー４を配置した状態の蓄電モジュール１０の概念図である。
【図３】図３は、セルスタック２が締結体５に係止される態様を示した蓄電モジュール１０の斜視図である。
【図４】図４は、サポート部品Ａ７を取り付けた状態のセルスタック２が締結体５に係止される態様を示した蓄電モジュール１０の斜視図である。
【図５】図５は、保持板８が配置された態様を示した蓄電モジュール１０の側面図である。
【図６】図６は、保持板８が締結体５とサポート部品Ｂ９を介して係止される態様を示した蓄電モジュール１０の斜視図である。
【発明を実施するための形態】
【００１４】
以下、本発明の実施の形態につき詳細に説明するが、本発明は以下の実施の形態に限定されない。
【００１５】
［蓄電モジュールの構成］
図１は、本実施の形態に係る蓄電モジュール１０の一例を示しており、蓄電モジュール１０は、蓄電素子１を厚み方向に１２個積層して成るセルスタック２と、セルスタック２の積層方向の両端に設置される一対のエンドプレート３と、エンドプレート３とセルスタック２との間に設置されるスライダー４と、エンドプレート同士を連結するように接続される締結体５から構成される。また、図示されていない外装ケース、蓄電素子電圧制御回路基板、外部端子などが蓄電モジュール１０に取り付けられてもよい。尚、セルスタック２は、１２個の蓄電素子１を積層して成るが、蓄電素子１の数は限定されるものではない。
【００１６】
蓄電素子１は、例えばリチウムイオンを含む有機電解液および電極積層体が密封された、例えばアルミ箔を樹脂フィルムでラミネートした金属ラミネート樹脂フィルムの気密性軟包装材料を外装とする。また、蓄電素子１は、電極積層体に電気的に接続された電極リード６を有している。
【００１７】
電極積層体は、負極電極体とセパレータと正極電極体とが複数積層されたものであり、負極電極体は、銅箔などから成る負極集電体と、該負極集電体の片面上又は両面上に設けられた負極活物質層とを有する。
【００１８】
正極電極体は、アルミニウム箔などから成る正極集電体と、該正極集電体の片面上又は両面上に設けられた正極活物質層とを有する。電極積層体の積層方向を蓄電素子１の厚み方向と定義する。
【００１９】
尚、電極積層体は上記の構造の他に、シート状負極電極体とシート状正極電極体との間にセパレータが配置されて積層したものを巻回して、圧縮されて成る構造を有する積層体も含む。
【００２０】
外装体（図示せず）を構成する金属ラミネート樹脂フィルムは、一例として、ＰＰ材（ポリプロピレン）、アルミニウム箔、ナイロン材、ＰＥＴ材（ポリエチレンテレフタレート）などを積層した複合フィルムを用いて成形されている。この複合フィルムの面内方向に引張応力を加えると、或る応力値までは弾性変形し、降伏応力値（降伏点）に達した後に塑性変形していく。外装体に降伏応力Ｈを超える応力が加わる場合は、金属ラミネート樹脂フィルムが塑性変形を起こしてしまう為、蓄電素子１が内包する電極積層体の位置ずれ又は内部短絡を引き起こす原因となる。更に、降伏応力Ｈを超える応力が繰り返し印加されると金属ラミネート樹脂フィルムが変形・破断して、蓄電素子１が内包する有機電解液が漏れ出す可能性がある。これを防止するための方法を後述する。
【００２１】
金属ラミネート樹脂フィルムの降伏応力Ｈの測定方法を説明する。降伏応力Ｈの測定は、ＪＩＳ  Ｋ７１６１及びＪＩＳ  Ｋ７１２７を参考にして、短冊状の金属ラミネート樹脂フィルム（幅１０ｍｍ×長さ１００ｍｍ×厚み０．１５ｍｍ）に、引張試験機を用いて２．０ｍｍ／ｍｉｎの速度で引張応力を加えた。５個の試験片で測定を行い、その平均値を降伏応力Ｈとして算出する。本実施形態において使用される金属ラミネート樹脂フィルムを測定した結果、実施例において示されるとおり、降伏応力Ｈ＝３０．７ＭＰａであった。
【００２２】
積層されている複数の蓄電素子については、蓄電素子１とそれに隣り合う他の蓄電素子１とは、電極リード６を介して電気的に直列または並列の関係になるように接続されており、積層方向の両端に位置する蓄電素子１は、電極リード６を介して、図示されていない外部電極に接続されている。蓄電素子１の電極リード６とそれに隣り合う他の蓄電素子１の電極リード６の接続方法は、図示していないが、溶接やねじ締結、リベット締結、はんだ付けなどの方法によって接続することができる。本実施の形態では、電極リード同士をねじ締結によって接続した。
【００２３】
また、蓄電素子とそれに隣り合う他の蓄電素子とは、対面する厚み方向に垂直な面同士で重ね合わされているが、これらの面は接着によって接合されていてもよい。接着の方法は、アクリル樹脂材料やエポキシ樹脂材料などを用いた接着剤によって接着するか、または粘着性を有する粘着テープによって接着することができる。本実施の形態では、アクリル樹脂材料を用いた両面粘着テープによって、互いに隣り合う蓄電素子同士を接着した。
【００２４】
締結体５は、セルスタック２の両端に位置する一対のエンドプレート３に締結され、セルスタック２の蓄電素子１の積層方向に加圧力Ｆを掛けるようにエンドプレート３を締結固定する。そのとき、エンドプレート同士が略平行になるように固定する。セルスタック２への加圧力Ｆは、例えば耐衝撃性を考慮して、０．０１ＭＰａ〜０．０５５ＭＰａの範囲内で適宜印加することができる。本実施の形態では、０．０３ＭＰａで加圧した。
【００２５】
スライダー４とエンドプレート３の間、またはスライダー４とセルスタック２の間は、ある有効接触面積Ａ（ｃｍ２）で接触している。有効接触面積とは、実質的に加圧力Ｆが掛けられている面積と定義する。一例として図１に示す蓄電モジュールで説明すると、スライダー４の蓄電素子１の積層方向に垂直な面において加圧力Ｆが掛けられている面積は、蓄電素子１の電極積層体が密封された部分の面積とほぼ等しい。更に、セルスタック２の両側にそれぞれ加圧力Ｆが掛かっている為、有効接触面積Ａ＝２×電極積層体の面積、とすることができる。本実施の形態では、電極積層体の面積が１００ｃｍ２の蓄電素子１を選択し、有効断面積Ａは２００ｃｍ２とした。
【００２６】
締結体５とエンドプレート３との締結方法の一例としては、円柱状や板状の締結体５を用いてボルトやネジによってエンドプレート３と締結固定する方法や、円柱状や板状の締結体５の先端をエンドプレート３にかしめて締結固定する方法や、バンド状の締結体５を用いてエンドプレート３とセルスタック２の周囲を束ねるように締結固定する方法や、エンドプレート３と締結体５とを溶接によって固定する方法や、またはこれらの方法を複合的に合わせて固定する方法などが挙げられる。また締結体５の数に特に指定は無いが、対称性を考慮した一例として、４つの締結体５をエンドプレート３の４つの隅に配置して締結固定するか、または一対のエンドプレートが向かい合う面に垂直な面に、２つの幅広な板状の締結体５を向かい合うように配置してエンドプレート３と締結固定する方法が挙げられる。本実施の形態では、４本の円柱状の締結体５を用いてエンドプレート３にボルト締結によって固定した。
【００２７】
［スライダーの構成］
一対のエンドプレート３とセルスタック２との間には、滑り性を有するスライダー４が配置される。スライダー４はエンドプレート３かセルスタック２のいずれか一方に接着や粘着などの方法で固定されるが、両方には固定されない。またスライダー４は、鉄、アルミニウム、銅などを主成分とする金属材料か、もしくは樹脂材料によって構成される板状もしくはフィルム状の部材であり、その表面に滑り性を有している。
【００２８】
本明細書では、「滑り性を有する」とは、スライダー４の表面の摩擦係数が低い状態であることである。摩擦係数はボールオンプレート型摩擦係数測定法によって測定することができる。この方法は、測定対象に対してＳＵＪ２材（炭素クロム鋼）の球（直径１０ｍｍ）を荷重２００ｇで押し当てた状態で、測定対象を荷重方向に垂直な方向に１０ｍｍ／秒の速度で移動させるときに必要な力を測定することによって摩擦係数を評価するものである。
【００２９】
複数種類の材料について、ボールオンプレート型摩擦係数測定法で測定した摩擦係数μの値を下記表１に示す。尚、表１中の振動試験の結果は、後述する蓄電モジュールの振動試験の結果を示しており、蓄電素子に損傷がない場合は○を、損傷がある場合は×を示している。
本発明のスライダー４では、一例として、厚さ０．５ｍｍのポリカーボネート製のスライダーで摩擦係数μが０．４７のものを選択し、セルスタック２の両端に固定した。
【００３０】
［スライダー４の有効性］
ここで蓄電モジュール１０に掛かる衝撃について説明する。蓄電モジュール１０は、使用される環境に対応した耐衝撃性を有することが求められている。例えば、自動車や建設機械などの用途では急速な加減速・慣性によって、蓄電モジュール１０に激しい衝撃が加わることが想定されるが、この衝撃の最大値を衝撃Ｇとする。
【００３１】
衝撃Ｇが掛かる方向は、蓄電モジュール１０に対してお互いに直交する３つの軸方向に分解することが出来る。蓄電素子１の積層方向をｘ軸とし、ｘ軸に直交して蓄電素子１の電極リード６が設置されている方向（図１における紙面上下方向）をｚ軸とし、ｘ軸とｚ軸に直交する方向をｙ軸とすると、ｙ軸及びｚ軸の方向の衝撃Ｇｙ及びＧｚは、蓄電素子１の外装体に引張応力を与える衝撃となる。
【００３２】
そこで、滑り性を有するスライダー４を配置することによって、衝撃Ｇｙ及びＧｚが加わったときにセルスタック２全体がエンドプレート３に対して変位することで、外装体に引張応力が印加されることを防止できる。
【００３３】
図２（ａ）は、衝撃Ｇｙ及びＧｚが加わったときにおけるスライダー４を配置しない状態の蓄電モジュール１０の概念図である。説明を簡略化するため、締結体５と電極リード６は図示していない。衝撃Ｇが加わるときは、一般的に蓄電モジュール１０のエンドプレート３が固定されて固定端となる。また、衝撃Ｇが加わるとセルスタック２全体は、例えば図２（ａ）の矢印方向に加わる荷重によってたわみが生じる。このとき、エンドプレート３は固定端であるため、セルスタック２の両端に位置する蓄電素子１は、エンドプレート３側の面は変位せず、その対面側が衝撃Ｇによって変位する。その結果、セルスタック２の両端に位置する蓄電素子１は、蓄電素子１の内部の電極積層体に応力が加わり、積層がずれて内部短絡を生じてしまう。
【００３４】
図２（ｂ）は、衝撃Ｇが加わったときにおけるスライダー４を配置した状態の蓄電モジュール１０の概念図である。説明を簡略化するため、締結体５と電極リード６は図示していない。衝撃Ｇが加わるときは、一般的に蓄電モジュール１０のエンドプレート３が固定されて固定端となる。例えば図２（ｂ）の矢印方向に衝撃Ｇが加わった場合、エンドプレート３とスライダー４との間で滑りが生じ、セルスタック２全体が一体となって矢印方向へ変位するため、外装体に引張応力が加わることを防止することができる。
【００３５】
これらの現象を数式を用いて整理する。スライダー４は、有効接触面積Ａ（ｃｍ２）、摩擦係数μを有し、蓄電素子１の積層方向に加圧力Ｆ（ＭＰａ）が加えられている為、衝撃Ｇｙ及びＧｚが掛かる方向には、μＡＦの力で拘束されていることになる。
【００３６】
衝撃Ｇｙ及びＧｚによる衝撃力がμＡＦ以上であれば、スライダー４の表面で滑りを起こすことが出来るが、衝撃力がμＡＦ未満である場合は、スライダー４の表面は滑らずに、外装体に引張応力が生じる。よって、繰り返しの衝撃によって金属ラミネート樹脂フィルム製の外装体が破断しないようにするには、μＡＦの値を降伏応力Ｈの値未満にすること（μＡＦ＜Ｈａ）が必要である。
【００３７】
外装体の断面積ａは、蓄電素子１のスライダー４と接触する外装体の面において、衝撃Ｇｙ及びＧｚが印加される方向の断面積を指す。
【００３８】
尚、外装体に引張応力が加わることを防止する方法として、本発明のスライダー４の表面で滑りを生じさせる方法の他に、積層される蓄電素子と蓄電素子の間で滑りを生じさせて、前述の梁形状になることを抑制する方法が考えられる。しかし、蓄電素子と蓄電素子とは、電極リードによって接続させている為、これらの間で滑りを生じさせると電極リードの接続部に変形応力が生じてしまう為、好ましくない。
【００３９】
摩擦係数μについては、下記表１に示すスライダー４の材料の摩擦係数と後述する振動試験の結果より、摩擦係数が０．７以下であると良好な結果であることを示している。
【００４０】
さらに、スライダー４を絶縁化することによって、エンドプレート３とセルスタック２との間を電気的に絶縁することができ、高耐電圧な蓄電モジュールを構成することができる。スライダー４を絶縁化する方法としては、スライダー４の構成材料が金属材料または合金材料の場合は、表面を絶縁樹脂コーティングするか、または表面を絶縁性の別の部品でカバーして絶縁化することができる。また、スライダー４の構成材料が樹脂材料の場合は、高絶縁性の材料を選択することで絶縁化することができる。
【００４１】
［セルスタックと締結体の係止関係］
図３はセルスタック２が締結体５に係止される様子を示した斜視図である。説明を簡略化する為、電極リード６とエンドプレート３は図示していない。セルスタック２は、外部から蓄電モジュール１に衝撃・振動が加わったとき、セルスタック２が大きく変位して破損しないようにする為に、締結体５に係止されている。スライダー４はセルスタック２の両端に接着固定されている。セルスタック２は、蓄電素子１の周囲に位置するアルミラミネートフィルム材を融着シールしている部分にＵ字型の切欠きが設けられており、その部分で４本の円柱状の締結体５と係止されている。
【００４２】
さらに、融着シール部分のＵ字型の切欠き部を補強して、且つ締結体５と蓄電素子１とを絶縁するために、絶縁性樹脂から成るサポート部品Ａを切欠き部に取り付けてもよい。図４はサポート部品Ａ７を取り付けた状態のセルスタック２が締結体５に係止される様子を示した斜視図である。尚、サポート部品Ａの形状はＵ字型に限定されず、Ｏ型や四角型などであってもよい。また、サポート部材で無くとも、締結体５の周囲に絶縁性の部品を配置することで、蓄電素子１と締結体５の間の絶縁性を確保することができる。
【００４３】
［保持板の構成］
図５は、保持板８が配置された蓄電モジュール１０の側面図を示している。保持板８は、蓄電素子１と隣り合う蓄電素子１との間に配置され、保持板８と蓄電素子１とは接着されている。接着の方法は、前述の蓄電素子１と蓄電素子１の接着の方法と同じであるが、保持板８に用いられる材質によって適宜、接着剤成分を選択することができる。本実施の形態では、アクリル樹脂材料を用いた両面粘着テープによって接着した。尚、セルスタック２の両端に位置する蓄電素子１とスライダー４との間に保持板８を配置してもよい。
【００４４】
図６は、保持板８が締結体５と絶縁体を介して係止される様子を示した斜視図である。保持板８は主に、鉄、アルミニウム、銅などを主成分とする金属材料によって成っており、衝撃・振動に耐える十分な強度を有していることが好ましい。また、保持板８と締結体５の間には絶縁性のサポート部品Ｂ９が配置されており、これによって蓄電素子１、保持板８と締結体５の間の絶縁性を確保することができる。さらに、保持板８を十分な機械的強度を有する絶縁性樹脂などで作ることによって、サポート部品Ｂ９が無くても蓄電素子１、保持板８と締結体５の間の絶縁性を確保することができる。
【実施例】
【００４５】
［実施例１］
［振動試験］
上記で説明した蓄電モジュール１０（特に図６の形態）で振動試験を実施した。このときのμ、Ａ及びＦの各値は、μ＝０．４７、Ａ＝２００ｃｍ２、Ｆ＝０．０３ＭＰａであり、μＡＦ＝２８２Ｎである。
また、Ｈ＝３０．７ＭＰａ、ａ＝１３．８ｍｍ２であり、Ｈａ＝４２３．７Ｎである。
【００４６】
振動試験条件は、正弦波形の対数掃引とし、振動数７Ｈｚから１００Ｈｚに上昇させ再び７Ｈｚに戻すことを１５分間で掃引する。蓄電モジュール１０の互いに垂直な３方向（ｘ軸、ｙ軸、ｚ軸）それぞれについてこのセットを１２回繰り返す。対数掃引の条件は、７Ｈｚから約１８Ｈｚに達するまではピーク加速度を１ｍ／ｓ２とし、その後は全振幅を１．６ｍｍにし、ピーク加速度が８ｍ／ｓ２に達するまで振動を増加させる。その後振動が１００Ｈｚに上がるまで８ｍ／ｓ２のピーク加速度を維持する。尚、加速度が５ｍ／ｓ２のときに、蓄電素子の外装体の降伏応力Ｈに相当する衝撃Ｇｙ及びＧｚが印加される。スライダーの表面は加速度が４．６ｍ／ｓ２以上のときに滑るように設計されている。また、各軸方向の振動回数は約４．７×１０５回である。
【００４７】
蓄電モジュール１０のｚ軸の方向に振動を与えて衝撃Ｇｚを印加した。この試験の結果、衝撃が印加されたときにスライダーの表面で滑ることにより、セルスタック２の両端に位置する蓄電素子１は損傷することがなく、安全性の高い蓄電モジュールが提供された。
【００４８】
［実施例２、３］
スライダー４の材料及び摩擦係数を変更すること以外は実施例１と同様の方法で振動試験を実施した。各条件と振動試験の結果の一覧を下記表１に示す。振動試験の結果が○であることは、セルスタック２の両端に位置する蓄電素子１に損傷が無いことを示している。本実施例の結果、μＡＦ＜Ｈａの範囲で安全性の高い蓄電モジュールが提供された。
【００４９】
［実施例４，５，６］
実施例１，２，３の蓄電モジュールの形態において、振動試験の振動方向をｙ軸に替えて衝撃Ｇｙを印加した。このとき、蓄電素子の外装体に加わる衝撃方向も変化するため、外装体の断面積ａは１６．８ｍｍ２であった。これら以外は実施例１，２，３と同様の方法で振動試験を実施した。各条件と振動試験の結果の一覧を下記表１に示す。振動試験の結果が○であることは、セルスタック２の両端に位置する蓄電素子１に損傷が無いことを示している。本実施例の結果、μＡＦ＜Ｈａの範囲で安全性の高い蓄電モジュールが提供された。
【００５０】
［比較例１］
スライダー４の材料をアルミニウム合金板（Ａ５０５２Ｐ）に変更すること、及びそれに伴う摩擦係数を変更すること以外は実施例１と同様の方法で振動試験を実施した。各条件と振動試験の結果を下記表１に示す。振動試験の結果が×であることは、不良が生じたことを示している。振動試験の結果、セルスタック２の両端に位置する蓄電素子１は、外装体が損傷し、内部の電極積層体がずれていた。
【００５１】
［実施例７］
比較例１の蓄電モジュールの形態において、実施例４，５，６と同様の試験方法で、衝撃Ｇｙを印加した。各条件と振動試験の結果の一覧を下記表１に示す。振動試験の結果が○であることは、セルスタック２の両端に位置する蓄電素子１に損傷が無いことを示している。本実施例の結果、μＡＦ＜Ｈａの範囲で安全性の高い蓄電モジュールが提供された。
【００５２】
［比較例２］
実施例１の蓄電モジュールの形態において、スライダー４を配置せずに、セルスタック２の両端に位置する蓄電素子１をエンドプレート３に両面粘着テープを用いて接着固定した状態で実施例１に記載の振動試験を実施した。尚、両面粘着テープの表面の摩擦係数を測定した結果、μ＝１．４８であった。また、加圧力Ｆを０．０２ＭＰａに変更した。尚、加圧力Ｆの値は蓄電素子１の充放電性能及び劣化特性に影響を与えることから、０．０２ＭＰａ未満の値にすることはできなかった。各条件と振動試験の結果を下記表１に示す。振動試験の結果が×であることは、不良が生じたことを示している。振動試験の結果、セルスタック２の両端に位置する蓄電素子１は、外装体が損傷し、内部の電極積層体がずれていた。
【００５３】
以上の実施例により、本実施の形態に係る蓄電素子は、衝撃・振動に対する優れた耐久性を有する。その結果、安全性の高い蓄電モジュールを提供することができる。
【００５４】
【表１】
2018029017.tif 000003
【産業上の利用可能性】
【００５５】
本発明の蓄電素子及び蓄電モジュールは、例えば、自動車における内燃機関、燃料電池、又はモーターと、蓄電素子と、を組み合わせたハイブリット駆動システムの分野；瞬間電力ピーク時のアシスト電源用途等として、好適に利用することができる。
【符号の説明】
【００５６】
１    蓄電素子
２    セルスタック
３    エンドプレート
４    スライダー
５    締結体
６    電極リード
７    サポート部品Ａ
８    保持板
９    サポート部品Ｂ
１０    蓄電モジュール
【図１】
2018029017.tif 000004
【図２】
2018029017.tif 000005
【図３】
2018029017.tif 000006
【図４】
2018029017.tif 000007
【図５】
2018029017.tif 000008
【図６】
2018029017.tif 000009